(57)【要約】【課題】高い利便性の便座装置遠隔操作プログラムを提供する。【解決手段】洗浄水の位置を調整するための位置調整画面を携帯情報端末の表示部に表示する表示工程と、操作部の操作により、洗浄水の位置を表す複数の座標情報を入力可能とし、入力された複数の座標情報の軌跡を位置調整画面に表示するとともに、携帯情報端末の無線通信部を介して複数の座標情報を便座装置に送信することにより、位置調整画面に表示された複数の座標情報の軌跡に連動させて洗浄水の位置を連続的に移動させる位置調整工程と、を、携帯情報端末に実行させることを特徴とする便座装置遠隔操作プログラムである。【選択図】図１
2020053758.tif 000002
【特許請求の範囲】
【請求項１】
便座装置と無線通信を行う無線通信部と、操作画面を表示するための表示部と、操作指示を入力するための操作部と、前記操作部から入力された操作指示に応じて前記無線通信部及び前記表示部を制御する制御部と、を備えた携帯情報端末にインストール可能に構成され、使用者の局部を洗浄するための洗浄水を吐水する局部洗浄ノズルを有するとともに前記洗浄水の前後又は／及び左右の位置を調整可能な前記便座装置を前記携帯情報端末によって遠隔操作するための便座装置遠隔操作プログラムであって、
前記洗浄水の位置を調整するための位置調整画面を前記表示部に表示する表示工程と、
前記操作部の操作により、前記洗浄水の位置を表す複数の座標情報を入力可能とし、入力された前記複数の座標情報の軌跡を前記位置調整画面に表示するとともに、前記無線通信部を介して前記複数の座標情報を前記便座装置に送信することにより、前記位置調整画面に表示された複数の前記座標情報の軌跡に連動させて前記洗浄水の位置を連続的に移動させる位置調整工程と、
を、前記携帯情報端末に実行させることを特徴とする便座装置遠隔操作プログラム。
【請求項２】
前記操作部の操作に応じて前記局部洗浄ノズルからの前記洗浄水の吐水を停止させる停止信号を前記無線通信部から前記便座装置に複数回送信する停止工程を、さらに前記携帯情報端末に実行させ、
前記位置調整工程における１つの前記座標情報の送信回数は、前記停止工程における前記停止信号の送信回数よりも少ないことを特徴とする請求項１記載の便座装置遠隔操作プログラム。
【請求項３】
前記操作部の操作に応じて前記局部洗浄ノズルからの前記洗浄水の吐水を停止させる停止信号を前記無線通信部から前記便座装置に複数回送信する停止工程を、さらに前記携帯情報端末に実行させ、
前記位置調整工程における前記複数の座標情報の送信間隔は、前記停止工程における複数回の前記停止信号の送信間隔よりも短いことを特徴とする請求項１又は２に記載の便座装置遠隔操作プログラム。
【請求項４】
前記複数の座標情報を記憶し、記憶した前記複数の座標情報を前記無線通信部から前記便座装置に再送信する再送信工程を、さらに前記携帯情報端末に実行させることを特徴とする請求項１〜３のいずれか１つに記載の便座装置遠隔操作プログラム。
【請求項５】
前記再送信工程は、前記複数の座標情報を前記便座装置に再送信するか否かを選択させるための選択画面を前記表示部に表示することを含むことを特徴とする請求項４記載の便座装置遠隔操作プログラム。
【請求項６】
前記再送信工程は、前記複数の座標情報の軌跡の終点と始点とが一致していない場合に、前記終点と前記始点との間を補間する補間処理を行い、前記補間処理によって取得した補間座標情報を、前記終点と前記始点との間において前記無線通信部から前記便座装置に送信することを含むことを特徴とする請求項４又は５に記載の便座装置遠隔操作プログラム。
【発明の詳細な説明】
【技術分野】
【０００１】
本発明の態様は、一般的に、便座装置遠隔操作プログラムに関する。
【背景技術】
【０００２】
スマートフォンなどの携帯情報端末を使って便座装置を遠隔操作する技術が知られている（例えば、特許文献１）。携帯情報端末は、便座装置と無線通信を行うことにより、便座装置を遠隔操作する。
【０００３】
便座装置は、使用者の局部を洗浄するための洗浄水を吐水する局部洗浄ノズルを有する。また、便座装置では、使用者の所望の位置に洗浄水を吐水するため、局部洗浄ノズルから吐水される洗浄水の前後又は／及び左右の位置を調整可能にすることが提案されている。このような便座装置を携帯情報端末で遠隔操作する際に、より利便性を向上させることが望まれる。
【先行技術文献】
【特許文献】
【０００４】
【特許文献１】特許第５８８９４６１号
【発明の概要】
【発明が解決しようとする課題】
【０００５】
本発明は、かかる課題の認識に基づいてなされたものであり、スマートフォンなどの携帯情報端末にインストールして使用され、便座装置を遠隔操作するための便座装置遠隔操作プログラムにおいて、高い利便性の便座装置遠隔操作プログラムを提供することを目的とする。
【課題を解決するための手段】
【０００６】
第１の発明は、便座装置と無線通信を行う無線通信部と、操作画面を表示するための表示部と、操作指示を入力するための操作部と、前記操作部から入力された操作指示に応じて前記無線通信部及び前記表示部を制御する制御部と、を備えた携帯情報端末にインストール可能に構成され、使用者の局部を洗浄するための洗浄水を吐水する局部洗浄ノズルを有するとともに前記洗浄水の前後又は／及び左右の位置を調整可能な前記便座装置を前記携帯情報端末によって遠隔操作するための便座装置遠隔操作プログラムであって、前記洗浄水の位置を調整するための位置調整画面を前記表示部に表示する表示工程と、前記操作部の操作により、前記洗浄水の位置を表す複数の座標情報を入力可能とし、入力された前記複数の座標情報の軌跡を前記位置調整画面に表示するとともに、前記無線通信部を介して前記複数の座標情報を前記便座装置に送信することにより、前記位置調整画面に表示された複数の前記座標情報の軌跡に連動させて前記洗浄水の位置を連続的に移動させる位置調整工程と、を、前記携帯情報端末に実行させることを特徴とする便座装置遠隔操作プログラムである。
【０００７】
この便座装置遠隔操作プログラムによれば、簡単な操作で使用者の好みの軌跡で洗浄水を移動させることができる。また、洗浄水の位置を連続的に移動させることにより、使用者の好みの位置に洗浄水を配置し易くすることもできる。これにより、高い利便性の便座装置遠隔操作プログラムを提供することができる。
【０００８】
第２の発明は、第１の発明において、前記操作部の操作に応じて前記局部洗浄ノズルからの前記洗浄水の吐水を停止させる停止信号を前記無線通信部から前記便座装置に複数回送信する停止工程を、さらに前記携帯情報端末に実行させ、前記位置調整工程における１つの前記座標情報の送信回数は、前記停止工程における前記停止信号の送信回数よりも少ないことを特徴とする便座装置遠隔操作プログラムである。
【０００９】
この便座装置遠隔操作プログラムによれば、１つの座標情報の送信回数が少ないため、次の座標情報を早期に送信することができ、操作に対する洗浄水の移動の応答性を高めることができる。一方、高い送信精度が要求される停止信号は、送信回数が多いため、より確実に停止信号を便座装置に受信させることができる。
【００１０】
第３の発明は、第１又は第２の発明において、前記操作部の操作に応じて前記局部洗浄ノズルからの前記洗浄水の吐水を停止させる停止信号を前記無線通信部から前記便座装置に複数回送信する停止工程を、さらに前記携帯情報端末に実行させ、前記位置調整工程における前記複数の座標情報の送信間隔は、前記停止工程における複数回の前記停止信号の送信間隔よりも短いことを特徴とする便座装置遠隔操作プログラムである。
【００１１】
この便座装置遠隔操作プログラムによれば、１つの座標情報の送信間隔が短いため、次の座標情報を早期に送信することができ、操作に対する洗浄水の移動の応答性を高めることができる。一方、高い送信精度が要求される停止信号は、送信間隔が長いため、携帯情報端末と便座装置との位置関係が悪く、停止信号を受信できなかった場合でも、次の停止信号の送信までに位置関係が改善される可能性を高めることができる。これにより、より確実に停止信号を便座装置に受信させることができる。
【００１２】
第４の発明は、第１〜第３のいずれか１つの発明において、前記複数の座標情報を記憶し、記憶した前記複数の座標情報を前記無線通信部から前記便座装置に再送信する再送信工程を、さらに前記携帯情報端末に実行させることを特徴とする便座装置遠隔操作プログラムである。
【００１３】
この便座装置遠隔操作プログラムによれば、好みの軌跡を設定した後は、操作せずにその軌跡を継続させることができ、操作の手間を省き、より利便性を向上させることができる。
【００１４】
第５の発明は、第４の発明において、前記再送信工程は、前記複数の座標情報を前記便座装置に再送信するか否かを選択させるための選択画面を前記表示部に表示することを含むことを特徴とする便座装置遠隔操作プログラムである。
【００１５】
この便座装置遠隔操作プログラムによれば、好みの軌跡で洗浄水を移動させ続けるか否かを使用者に選択させることができ、より利便性を向上させることができる。
【００１６】
第６の発明は、第４又は第５の発明において、前記再送信工程は、前記複数の座標情報の軌跡の終点と始点とが一致していない場合に、前記終点と前記始点との間を補間する補間処理を行い、前記補間処理によって取得した補間座標情報を、前記終点と前記始点との間において前記無線通信部から前記便座装置に送信することを含むことを特徴とする便座装置遠隔操作プログラムである。
【００１７】
この便座装置遠隔操作プログラムによれば、補間処理を行うことで、使用者が操作する際に始点と終点とを揃える操作をしなくても良いため、操作の制約を軽減することができる。これにより、より利便性を向上させることができる。
【発明の効果】
【００１８】
本発明の態様によれば、高い利便性の便座装置遠隔操作プログラムが提供される。
【図面の簡単な説明】
【００１９】
【図１】実施形態に係るトイレシステムを模式的に表す斜視図である。
【図２】実施形態に係る便座装置を模式的に表すブロック図である。
【図３】実施形態に係る携帯情報端末を模式的に表すブロック図である。
【図４】操作画面の一例を模式的に表す説明図である。
【図５】位置調整画面に関する動作の一例を模式的に表す説明図である。
【図６】図６（ａ）及び図６（ｂ）は、制御部の動作の一例を模式的に表す説明図である。
【図７】実施形態に係るトイレシステムの動作の一例を模式的に表すフローチャートである。
【図８】図８（ａ）〜図８（ｆ）は、表示画面の一例を模式的に表す説明図である。
【発明を実施するための形態】
【００２０】
以下、本発明の実施形態について図面を参照しつつ説明する。なお、各図面中、同様の構成要素には同一の符号を付して詳細な説明は適宜省略する。
【００２１】
図１は、実施形態に係るトイレシステムを模式的に表す斜視図である。  
図１に表したように、トイレシステム２は、トイレ装置１０と、携帯情報端末１００と、を備える。トイレ装置１０は、住宅や公共施設のトイレ室ＴＲに設置される。住宅では、例えば、１階と２階など複数のトイレ室ＴＲが設置される場合がある。また、公共施設では、例えば、間仕切りなどでトイレ空間を仕切ることにより、１つのトイレ空間内に複数のトイレ室ＴＲが設置される場合がある。公共施設のトイレ室ＴＲは、換言すれば、トイレブースである。トイレ装置１０は、例えば、こうした複数のトイレ室ＴＲのそれぞれに設置される。
【００２２】
トイレ装置１０は、腰掛け大便器（以下説明の便宜上、単に「便器」と称する）１２と、便座装置２０と、を備える。便座装置２０は、便器１２の上部に設置される。便座装置２０は、便器１２に対して一体的に取り付けてもよいし、便器１２に対して着脱可能に取り付けてもよい。
【００２３】
便座装置２０は、本体部２２と、便座２４と、便蓋２６と、リモコン２８と、局部洗浄ノズル３０と、を備える。便蓋２６は、便座装置２０に必要に応じて設けられ、省略可能である。便座２４と便蓋２６とは、本体部２２に対して回転可能に軸支されている。
【００２４】
なお、本願明細書において、「上方」、「下方」、「前方」、「後方」、「左側方」及び「右側方」のそれぞれは、開いた便蓋２６に背を向けて便座２４に座った使用者から見た方向である。
【００２５】
便器１２は、ボウル部１２ａを有する。ボウル部１２ａは、下方に凹む凹状である。便器１２は、ボウル部１２ａにおいて使用者の尿や便などの排泄物を受ける。便座装置２０の本体部２２は、便器１２のボウル部１２ａよりも後方の部分の上に取り付けられる。
【００２６】
使用者が着座するための便座２４は、ボウル部１２ａを露呈させる開口部２４ａを有する。便座２４は、下げた状態において、ボウル部１２ａの外縁を囲むように便器１２の上に設けられ、開口部２４ａを介してボウル部１２ａを露呈させる。これにより、使用者は、便座２４に座った状態でボウル部１２ａに排泄を行うことができる。この例では、貫通孔状の開口部２４ａが形成された、いわゆるＯ型の便座２４を示している。便座２４は、Ｏ型に限ることなく、Ｕ字型などでもよい。開口部２４ａは、貫通孔状に限ることなく、切り欠き状でもよい。使用状態（使用者が着座可能な状態）の便座２４を上方から見た形状は、環状又はＵ字状である。
【００２７】
リモコン２８は、例えば、複数のスイッチやセンサなどを有し、使用者からの操作指示を受け付ける。また、リモコン２８は、有線又は無線を介して本体部２２と接続され、使用者から入力された操作指示を本体部２２に送信する。本体部２２は、リモコン２８から入力された操作指示に応じて所定の動作を実行する。なお、本体部２２への操作指示の入力は、例えば、本体部２２に設けられた操作パネルなどを介して行ってもよい。すなわち、リモコン２８は、必要に応じて設けられ、省略可能である。
【００２８】
局部洗浄ノズル３０（以下、ノズル３０と称す）は、本体部２２に設けられている。ノズル３０は、本体部２２内に収納された位置と、本体部２２から前方に突出し、ボウル部１２ａ内に進出した位置と、に進退移動する。なお、図１は、ノズル３０がボウル部１２ａ内に進出した状態を表している。
【００２９】
便座装置２０は、ノズル３０をボウル部１２ａ内に進出させた状態で、使用者の「おしり」などの局部に向けてノズル３０から洗浄水を吐水することにより、使用者の局部を洗浄する局部洗浄機能を有する。便座装置２０は、換言すれば、局部洗浄機能を有する衛生洗浄装置である。なお、本願明細書において「水」という場合には、冷水のみならず、加熱されたお湯も含むものとする。
【００３０】
リモコン２８は、例えば、洗浄ボタンや停止ボタンなど、局部洗浄機能の動作を操作するための複数の操作部材を有する。便座装置２０は、例えば、リモコン２８から入力される操作指示に基づいて、局部洗浄機能の動作を実行する。これにより、使用者は、リモコン２８の操作に応じて、局部の洗浄を行うことができる。
【００３１】
携帯情報端末１００は、例えば、使用者の所有するスマートフォンやタブレット端末などである。但し、携帯情報端末１００は、これらに限ることなく、使用者が携帯可能な任意の端末でよい。
【００３２】
携帯情報端末１００には、便座装置２０を遠隔操作するための遠隔操作プログラム（アプリケーションソフトウェア）が予めインストールされている。トイレシステム２では、携帯情報端末１００において上記の遠隔操作プログラムを起動させることにより、携帯情報端末１００によって便座装置２０の動作を遠隔操作することができる。トイレシステム２では、例えば、携帯情報端末１００によって便座装置２０の局部洗浄機能の動作を遠隔操作することができる。すなわち、トイレシステム２では、リモコン２８及び携帯情報端末１００のいずれかを操作することにより、便座装置２０の局部洗浄機能の動作を遠隔操作することができる。
【００３３】
図２は、実施形態に係る便座装置を模式的に表すブロック図である。  
図２に表したように、便座装置２０は、制御部４０と、記憶部４２と、第１人体検知センサ５１と、第２人体検知センサ５２と、着座検知センサ５３と、第１無線通信部６１と、第２無線通信部６２と、便蓋開閉装置７０と、便座開閉装置７１と、便座ヒータ７２と、電磁弁７３と、温水ヒータ７４と、ノズル駆動装置７５と、脱臭装置７６と、室内暖房装置７７と、照明装置７８と、便器洗浄装置７９と、温風送風機８０と、を備える。
【００３４】
記憶部４２は、便座装置２０の各部の動作を制御するための各種の制御プログラムや各種のデータを記憶する。制御部４０は、記憶部４２に記憶された各種のプログラムやデータを読み出し、逐次処理することにより、便座装置２０の各部の動作を統括的に制御する。
【００３５】
第１人体検知センサ５１は、便座装置２０に近づく人体を検知する。換言すれば、第１人体検知センサ５１は、トイレ室ＴＲに入室した人体を検知する。第１人体検知センサ５１には、例えば、焦電センサや電波センサなどが用いられる。第１人体検知センサ５１は、制御部４０と接続されている。第１人体検知センサ５１は、人体の検知結果を制御部４０に入力する。
【００３６】
第２人体検知センサ５２は、便座装置２０（便器１２）の前に立つ人体を検知する。第２人体検知センサ５２には、例えば、赤外線測距センサなどが用いられる。第２人体検知センサ５２は、制御部４０と接続されている。第２人体検知センサ５２は、人体の検知結果を制御部４０に入力する。
【００３７】
着座検知センサ５３は、便座２４への着座を検知する。着座検知センサ５３は、便座２４への着座を検知した検知状態と、便座２４への着座を検知していない非検知状態と、を有する。着座検知センサ５３には、例えば、機械的なスイッチや静電センサなどが用いられる。着座検知センサ５３は、制御部４０と接続されている。着座検知センサ５３は、人体の検知結果を制御部４０に入力する。
【００３８】
第１無線通信部６１は、リモコン２８との無線通信を行う。第１無線通信部６１は、例えば、リモコン２８から送信された赤外線信号を受光する赤外線受光装置である。第１無線通信部６１は、制御部４０と接続されている。第１無線通信部６１は、リモコン２８から受信した受信信号を制御部４０に入力する。
【００３９】
第２無線通信部６２は、携帯情報端末１００との無線通信を行う。第２無線通信部６２は、例えば、携帯情報端末１００と双方向の無線通信を行う。第２無線通信部６２には、例えば、Ｂｌｕｅｔｏｏｔｈ（登録商標）やＷｉ−Ｆｉなどの通信規格に準拠した無線通信装置が用いられる。第２無線通信部６２は、制御部４０と接続されている。第２無線通信部６２は、携帯情報端末１００から受信した受信信号を制御部４０に入力するとともに、制御部４０から入力された送信信号を携帯情報端末１００に送信する。
【００４０】
便蓋開閉装置７０は、制御部４０と接続されており、制御部４０の制御に基づいて便蓋２６を自動的に開閉する。制御部４０は、例えば、第１人体検知センサ５１又は第２人体検知センサ５２による人体の検知に基づいて便蓋２６を開き、第１人体検知センサ５１又は第２人体検知センサ５２による人体の非検知に基づいて便蓋２６を閉じる。また、制御部４０は、例えば、リモコン２８又は携帯情報端末１００の操作に応じて便蓋開閉装置７０を駆動することにより、便蓋２６を開閉する。
【００４１】
便座開閉装置７１は、制御部４０と接続されており、制御部４０の制御に基づいて便座２４を自動的に開閉する。制御部４０は、例えば、リモコン２８又は携帯情報端末１００の操作に応じて便座開閉装置７１を駆動することにより、便座２４を開閉する。
【００４２】
便座ヒータ７２は、便座２４の内部に設けられ、便座２４の座面を内側から温める。便座ヒータ７２は、制御部４０と接続され、制御部４０の制御に基づいて便座２４の座面を温める。制御部４０は、例えば、便座２４の座面の温度が、リモコン２８又は携帯情報端末１００の操作によって設定された温度となるように、便座ヒータ７２の駆動を制御する。
【００４３】
電磁弁７３は、給水源とノズル３０との間に設けられる。電磁弁７３を開くことにより、ノズル３０に洗浄水が供給される。電磁弁７３を閉じることにより、ノズル３０への洗浄水の供給が停止される。電磁弁７３は、制御部４０と接続されている。電磁弁７３は、制御部４０の制御に基づいて、ノズル３０への洗浄水の供給及びノズル３０への洗浄水の供給の停止を切り替える。
【００４４】
温水ヒータ７４は、電磁弁７３の下流に設けられている。温水ヒータ７４は、制御部４０と接続されている。温水ヒータ７４は、制御部４０の制御に基づいて、給水源から供給された洗浄水を加熱し、例えば規定の温度まで昇温させる。温水ヒータ７４は、給水源から供給された洗浄水を、設定された温度の温水に変換する。温水ヒータ７４は、例えばセラミックヒータなどを用いた瞬間加熱式（瞬間式）の熱交換器でもよいし、貯湯タンクを用いた貯湯加熱式の熱交換器でもよい。
【００４５】
また、制御部４０は、例えば、リモコン２８又は携帯情報端末１００の操作によって、温水温度を設定可能とする。使用者は、リモコン２８又は携帯情報端末１００を操作することにより、温水温度を所望の温度に設定することができる。
【００４６】
ノズル駆動装置７５は、本体部２２内に収納された位置と、本体部２２から前方に突出し、ボウル部１２ａ内に進出した位置と、にノズル３０を進退移動させる。ノズル駆動装置７５は、制御部４０と接続されている。ノズル駆動装置７５は、制御部４０の制御に基づいて、ノズル３０を進退移動させる。
【００４７】
また、制御部４０は、例えば、リモコン２８又は携帯情報端末１００の操作によって、ボウル部１２ａ内に進出した状態におけるノズル３０の位置を調整可能とする。使用者は、ノズル３０がボウル部１２ａ内に進出した状態において、リモコン２８又は携帯情報端末１００を操作することにより、ノズル３０の前後方向の位置を所望の位置に調整することができる。
【００４８】
ノズル駆動装置７５は、例えば、ノズル３０の位置や傾きなどを調整することにより、ノズル３０から吐水される洗浄水の前後又は／及び左右の位置を調整する。便座装置２０は、ノズル３０から吐水される洗浄水の前後又は／及び左右の位置を調整可能である。換言すれば、便座装置２０は、洗浄水の前後及び左右の少なくとも一方の位置を調整可能である。ノズル駆動装置７５は、例えば、ノズル３０を進退移動させることにより、洗浄水の前後方向の位置を調整する。ノズル駆動装置７５は、例えば、ノズル３０を軸周りに回転させ、吐水口の左右方向の傾きを変化させることにより、洗浄水の左右方向の位置を調整する。ノズル駆動装置７５は、例えば、ノズル３０を左右方向に平行移動させることにより、洗浄水の左右方向の位置を調整してもよい。ノズル駆動装置７５は、例えば、ノズル３０の根本部分を軸に先端側を左右方向に回動させることにより、洗浄水の左右方向の位置を調整してもよい。
【００４９】
脱臭装置７６は、便器１２のボウル部１２ａ内の空気を吸引し、吸引した空気に含まれる悪臭成分などを低減させた後、本体部２２の外に排出することにより、ボウル部１２ａ内の空気を脱臭する。脱臭装置７６は、制御部４０に接続され、制御部４０の制御に基づいて、ボウル部１２ａ内の空気の脱臭を行う。制御部４０は、例えば、使用者が便座２４から離れたことを着座検知センサ５３が検知した際に、脱臭装置７６を所定時間動作させる。
【００５０】
室内暖房装置７７は、本体部２２の外に温風を吹き出すことにより、トイレ室ＴＲ内の暖房を行う。室内暖房装置７７は、制御部４０に接続され、制御部４０の制御に基づいて、トイレ室ＴＲ内の暖房を行う。制御部４０は、例えば、リモコン２８又は携帯情報端末１００の操作によって、室内温度を設定可能とする。使用者は、リモコン２８又は携帯情報端末１００を操作することにより、トイレ室ＴＲ内の設定温度を所望の温度に設定することができる。
【００５１】
照明装置７８は、便器１２のボウル部１２ａ内を照明する。照明装置７８は、制御部４０に接続され、制御部４０の制御に基づいてボウル部１２ａ内の照明を行う。制御部４０は、例えば、第１人体検知センサ５１又は第２人体検知センサ５２による人体の検知に基づいて照明装置７８を点灯させることにより、夜間などにボウル部１２ａを見易くする。
【００５２】
便器洗浄装置７９は、便器１２に洗浄水を供給して便器１２を洗浄する。便器洗浄装置７９は、例えば、便器１２への給水タンクや便器１２への給水管などに設けられ、便器１２の洗浄を自動的に行えるようにする。便器洗浄装置７９は、制御部４０に接続され、制御部４０の制御に基づいて、便器１２の洗浄を行う。制御部４０は、例えば、第１人体検知センサ５１、第２人体検知センサ５２、あるいは着座検知センサ５３によって、便座２４から使用者が離れたことが検知されたことに応じて、便器洗浄装置７９を動作させることにより、便器１２の洗浄を行う。
【００５３】
温風送風機８０は、使用者の局部に向けて温風を送風する。温風送風機８０は、例えば、局部洗浄などで濡れた使用者の局部に温風を送風することにより、使用者の局部を乾燥させる。温風送風機８０は、制御部４０と接続されている。温風送風機８０は、制御部４０の制御に基づいて、使用者の局部への温風の送風及び送風の停止を切り替える。
【００５４】
このように、便座装置２０は、例えば、便蓋開閉装置７０、便座開閉装置７１、便座ヒータ７２、電磁弁７３、温水ヒータ７４、ノズル駆動装置７５、脱臭装置７６、室内暖房装置７７、照明装置７８、便器洗浄装置７９、及び温風送風機８０など、便器１２の利用に関連する所定の動作を行う動作部を有する。便座装置２０は、例えば、複数の動作部を有する。なお、動作部は、上記のものに限ることなく、便器１２の利用に関連する所定の動作を行う任意の動作部でよい。便座装置２０に設けられる動作部の数は、任意の数でよい。便座装置２０に設けられる動作部の数は、例えば、１つでもよい。
【００５５】
前述のように、トイレシステム２では、リモコン２８及び携帯情報端末１００のいずれかを操作することにより、便座装置２０の動作を遠隔操作することができる。便座装置２０の制御部４０は、第１無線通信部６１を介してリモコン２８から受信した信号に基づいて複数の動作部の動作を制御するとともに、第２無線通信部６２を介して携帯情報端末１００から受信した信号に基づいて複数の動作部の動作を制御する。
【００５６】
図３は、実施形態に係る携帯情報端末を模式的に表すブロック図である。  
図３に表したように、携帯情報端末１００は、制御部１１０と、記憶部１１２と、無線通信部１１４と、操作部１１６と、表示部１１８と、スピーカ１２０と、マイクロフォン１２２と、を備える。
【００５７】
記憶部１１２は、携帯情報端末１００の各部の動作を制御するための各種の制御プログラムや各種のデータを記憶する。制御部１１０は、記憶部４２に記憶された各種のプログラムやデータを読み出し、逐次処理することにより、携帯情報端末１００の各部の動作を統括的に制御する。
【００５８】
無線通信部１１４は、便座装置２０の第２無線通信部６２との無線通信を行う。無線通信部１１４には、第２無線通信部６２と同じ通信規格に準拠した無線通信装置が用いられる。無線通信部１１４は、制御部１１０と接続されている。無線通信部１１４は、便座装置２０の第２無線通信部６２から受信した受信信号を制御部１１０に入力するとともに、制御部１１０から入力された送信信号を便座装置２０の第２無線通信部６２に送信する。
【００５９】
操作部１１６は、使用者などからの操作指示の入力を受け付ける。操作部１１６には、例えば、タッチパネルが用いられる。操作部１１６は、例えば、機械式のスイッチや他のセンサなどでもよいし、これらを組み合わせて構成してもよい。操作部１１６は、制御部１１０と接続されている。操作部１１６は、入力された操作指示を制御部１１０に入力する。制御部１１０は、例えば、操作部１１６から入力された操作指示に応じて、無線通信部１１４などの各部の動作を制御する。
【００６０】
表示部１１８は、種々の操作画面などの表示を行う。表示部１１８には、例えば、液晶ディスプレイや有機ＥＬディスプレイなどの表示装置が用いられる。表示部１１８は、制御部１１０と接続され、制御部１１０の制御に基づいて、各種の表示を行う。例えば、操作部１１６がタッチパネルである場合には、操作部１１６は、表示部１１８の上に重ねて設けられる。
【００６１】
スピーカ１２０は、種々の音の出力を行う。スピーカ１２０は、制御部１１０と接続され、制御部１１０の制御に基づいて、各種の音の出力を行う。
【００６２】
マイクロフォン１２２は、入力された音を電気信号に変換する。マイクロフォン１２２は、制御部１１０と接続され、変換した電気信号を制御部１１０に入力する。
【００６３】
記憶部１１２には、携帯情報端末１００によって便座装置２０を遠隔操作するための便座装置遠隔操作プログラム２００が記憶されている。換言すれば、携帯情報端末１００には、便座装置遠隔操作プログラム２００がインストールされている。
【００６４】
制御部１１０は、例えば、操作部１１６から便座装置遠隔操作プログラム２００の起動を指示されることにより、記憶部１１２から便座装置遠隔操作プログラム２００を読み出し、便座装置遠隔操作プログラム２００に基づく制御を実行することにより、便座装置２０の遠隔操作を可能にする。
【００６５】
携帯情報端末１００で便座装置２０を遠隔操作するためには、携帯情報端末１００と便座装置２０との間で予めペアリングを行わなければならない場合がある。ペアリングが行われていない場合には、例えば、便座装置遠隔操作プログラム２００の起動後、ペアリング可能な便座装置２０の情報が表示部１１８に表示される。例えば、無線通信部１１４の通信圏内にペアリング可能な便座装置２０が複数存在する場合には、複数の便座装置２０の情報が、表示部１１８に表示される。
【００６６】
使用者は、表示部１１８に表示された便座装置２０の情報の中から、ペアリングを所望する便座装置２０を選択し、操作部１１６を介して選択結果を制御部１１０に入力する。制御部１１０は、操作部１１６から選択結果が入力されると、選択された便座装置２０とのペアリングを行う。制御部１１０は、便座装置２０とのペアリングが完了した後、その便座装置２０との通信接続を開始する。これにより、携帯情報端末１００による便座装置２０の遠隔操作が可能となる。
【００６７】
便座装置２０とのペアリングを一度行うと、例えば、その便座装置２０を表すＩＤ情報などが記憶部１１２に記憶され、以降のペアリングは不要となる。従って、便座装置遠隔操作プログラム２００を起動した際に、ペアリング済みの便座装置２０が無線通信部１１４の通信圏内に存在する場合には、その便座装置２０との通信接続が開始され、ペアリングを行うことなく、その便座装置２０を遠隔操作することができる。
【００６８】
図４は、操作画面の一例を模式的に表す説明図である。  
図４は、表示部１１８に表示される操作画面３００の一例を模式的に表す。制御部１１０は、操作部１１６において所定の操作が行われたことに応答して、操作画面３００を表示部１１８に表示する。制御部１１０は、例えば、局部洗浄の実行を指示された際に、操作画面３００を表示する。
【００６９】
操作画面３００には、例えば、局部洗浄の停止を指示するための停止ボタン３００ａ、洗浄水の位置を調整するための位置調整画面３００ｂ、洗浄水の吐水の勢いを弱くするための水勢弱ボタン３００ｃ、洗浄水の吐水の勢いを強くするための水勢強ボタン３００ｄ、及び予め記憶させた軌跡で洗浄水を移動させるマイ洗浄ボタン３００ｅなどが設けられている。
【００７０】
図５は、位置調整画面に関する動作の一例を模式的に表す説明図である。  
図５に表したように、制御部１１０は、操作部１１６の操作により、洗浄水の位置を表す複数の座標情報ＣＩを入力可能とする。図５では、座標情報ＣＩ１〜ＣＩ７の７つの座標情報ＣＩを入力した場合を例示している。複数の座標情報ＣＩは、例えば、位置調整画面３００ｂの画面上において、線を描くようにタッチパネルである操作部１１６を操作（以下、タッチ操作と称す）することによって入力される。制御部１１０は、例えば、所定の周期でタッチ操作の入力結果をサンプリングすることにより、タッチ操作の入力座標を座標情報ＣＩとして取得する。
【００７１】
図５に表したように、制御部１１０は、入力された複数の座標情報ＣＩの軌跡を位置調整画面３００ｂに表示する。また、制御部１１０は、これとともに、無線通信部１１４を介して複数の座標情報ＣＩを便座装置２０に送信する。便座装置２０の制御部４０は、複数の座標情報ＣＩを受信すると、受信した複数の座標情報ＣＩに基づいてノズル駆動装置７５を動作させることにより、時系列に並ぶ複数の座標情報ＣＩに応じた位置に洗浄水を連続的に移動させる。これにより、携帯情報端末１００の制御部１１０は、位置調整画面３００ｂに表示された複数の座標情報ＣＩの軌跡に連動させて洗浄水の位置を連続的に移動させる。
【００７２】
制御部１１０は、例えば、タッチ操作によって入力される座標情報ＣＩを所定の周期で取得するとともに、取得する毎に座標情報ＣＩを便座装置２０に順次送信する。換言すれば、制御部１１０は、取得と同じ周期で座標情報ＣＩを便座装置２０に送信する。便座装置２０の制御部４０は、座標情報ＣＩを受信する毎に、その座標情報ＣＩに基づく位置に洗浄水を移動させる。これにより、使用者のタッチ操作に連動させてリアルタイムに洗浄水を移動させることができる。
【００７３】
上記のようなリアルタイムに洗浄水を移動させる構成に限ることなく、例えば、複数の座標情報ＣＩをまとめて取得した後、操作部１１６からの送信指示などに応じて複数の座標情報ＣＩを時系列順に便座装置２０に順次送信するようにしてもよい。この場合、例えば、複数の座標情報ＣＩを送信する前に、複数の座標情報ＣＩの軌跡をタッチ操作などで修正できるようにしてもよい。これにより、例えば、複数の座標情報ＣＩの軌跡（洗浄水の動き）を、より使用者の好みに合わせやすくすることができる。
【００７４】
図５に表したように、制御部１１０は、例えば、０．１秒周期で座標情報ＣＩの取得を行う。そして、制御部１１０は、例えば、座標情報ＣＩの取得後、取得した座標情報ＣＩを０．０５秒間送信し、０．０５秒間送信を停止する。制御部１１０は、座標情報ＣＩの入力（位置調整画面３００ｂのタッチ操作）が行われた場合、この処理を繰り返す。従って、制御部１１０は、座標情報ＣＩの送信においては、１つの座標情報ＣＩを１回だけ送信し、次に送信を行う場合には、次に取得された座標情報ＣＩを送信する。
【００７５】
制御部１１０は、停止ボタン３００ａが操作された場合、ノズル３０からの洗浄水の吐水を停止させる停止信号を無線通信部１１４から便座装置２０に送信し、便座装置２０にノズル３０からの洗浄水の吐水を停止させる。
【００７６】
図５に表したように、制御部１１０は、停止ボタン３００ａが操作され、ノズル３０からの洗浄水の吐水を停止させる停止信号を無線通信部１１４から便座装置２０に送信する場合、停止信号を便座装置２０に複数回送信する。制御部１１０は、例えば、所定の周期で停止信号を便座装置２０に複数回送信する。制御部１１０は、例えば、停止信号を便座装置２０に０．１秒間送信した後、０．１秒間送信を停止する。すなわち、制御部１１０は、停止信号を便座装置２０に０．２秒周期で複数回送信する。
【００７７】
このように、制御部１１０は、１つの座標情報ＣＩの送信回数を、停止信号の送信回数よりも少なくする。また、制御部１１０は、複数の座標情報ＣＩの送信間隔を、複数回の停止信号の送信間隔よりも短くする。
【００７８】
この例では、停止信号の複数回の送信回数に対し、１つの座標情報ＣＩの送信回数は、１回である。但し、１つの座標情報ＣＩの送信回数は、２回以上でもよい。また、１つの座標情報ＣＩの送信回数は、停止信号の送信回数と同じでもよいし、停止信号の送信回数よりも多くてもよい。
【００７９】
この例では、停止信号の０．２秒の送信間隔に対し、複数の座標情報ＣＩの送信間隔は、０．１秒である。但し、複数の座標情報ＣＩの送信間隔及び停止信号の送信間隔は、これに限定されるものではない。複数の座標情報ＣＩの送信間隔は、複数回の停止信号の送信間隔と同じでもよい。複数の座標情報ＣＩの送信間隔は、複数回の停止信号の送信間隔より長くてもよい。
【００８０】
制御部１１０は、例えば、座標情報ＣＩの入力の終了に応答して、入力された複数の座標情報ＣＩを記憶部１１２に記憶させる。すなわち、制御部１１０は、使用者による位置調整画面３００ｂの画面上へのタッチ操作が終了した際に、入力された複数の座標情報ＣＩを記憶部１１２に記憶させる。但し、複数の座標情報ＣＩの記憶部１１２への記憶は、座標情報ＣＩの入力の終了に限ることなく、例えば、操作部１１６からの記憶の操作指示などに基づいて行ってもよい。
【００８１】
操作画面３００に設けられたマイ洗浄ボタン３００ｅは、記憶部１１２に予め複数の座標情報ＣＩが記憶されている場合に、記憶部１１２に記憶された複数の座標情報ＣＩを便座装置２０に再送信することを指示するためのボタンである。マイ洗浄ボタン３００ｅは、換言すれば、複数の座標情報ＣＩを便座装置２０に再送信するか否かを使用者などに選択させるための選択画面である。但し、選択画面の態様は、マイ洗浄ボタン３００ｅに限ることなく、複数の座標情報ＣＩを便座装置２０に再送信するか否かを使用者などに選択させることが可能な任意の態様でよい。
【００８２】
制御部１１０は、マイ洗浄ボタン３００ｅをタッチ操作された場合に、記憶部１１２に記憶された複数の座標情報ＣＩを読み出し、読み出した複数の座標情報ＣＩを便座装置２０に再送信する。これにより、使用者は、複数の座標情報ＣＩを一度入力するだけで、使用者の好みの動きで繰り返し洗浄水を移動させることができる。これにより、トイレシステム２の利便性をより向上させることができる。
【００８３】
一方で、座標情報ＣＩの入力を終了した後、マイ洗浄ボタン３００ｅのタッチ操作が行われなかった場合には、最後に送信した座標情報ＣＩの位置に、洗浄水の位置を止めることができる。例えば、使用者が位置調整画面３００ｂをタッチ操作して洗浄水を移動させながら好みの位置を探している場合などには、好みの位置でタッチ操作を終了した後、再送信を行わないことにより、洗浄水を好みの位置で吐水させ続けることができる。
【００８４】
制御部１１０は、マイ洗浄ボタン３００ｅをタッチ操作された場合、例えば、停止ボタン３０２ａの操作などによって局部洗浄の停止が指示されるまで、あるいは、マイ洗浄ボタン３００ｅの再度のタッチ操作などによって再送信の停止が指示されるまで、複数の座標情報ＣＩの再送信を繰り返す。但し、マイ洗浄ボタン３００ｅをタッチ操作された場合には、例えば、マイ洗浄ボタン３００ｅのタッチ操作に応じて複数の座標情報ＣＩを一度だけ再送信してもよい。
【００８５】
なお、複数の座標情報ＣＩは、例えば、記憶部１１２に複数記憶できるようにし、記憶部１１２から選択的に読み出せるようにしてもよい。複数の座標情報ＣＩは、換言すれば、洗浄水の動きの軌跡を表す動き情報である。記憶部１１２は、複数の動き情報を記憶し、複数の動き情報を選択的に読み出せるようにしてもよい。すなわち、使用者の好みの洗浄水の動きを記憶部１１２に複数種類記憶させられるようにしてもよい。これにより、トイレシステム２の利便性をさらに向上させることができる。
【００８６】
図６（ａ）及び図６（ｂ）は、制御部の動作の一例を模式的に表す説明図である。  
図６（ａ）に表したように、使用者がタッチ操作などによって複数の座標情報ＣＩの入力を行った場合、複数の座標情報ＣＩの軌跡の終点と始点とが一致していない可能性がある。図６（ａ）では、始点である座標情報ＣＩ１と、終点である座標情報ＣＩ７と、が一致していない状態を模式的に表している。
【００８７】
制御部１１０は、マイ洗浄ボタン３００ｅがタッチ操作された場合（操作部１１６から再送信することの操作指示を入力された場合）に、複数の座標情報ＣＩの軌跡の終点と始点とが一致しているか否かを判定する。制御部１１０は、終点と始点とが一致していないと判定した場合、終点と始点との間を補間する補間処理を行う。制御部１１０は、例えば、終点と始点とが一致しておらず、かつ終点と始点との離間量がノズル３０の移動可能な距離よりも大きい場合に、補間処理を行う。ノズル３０の移動可能な距離とは、より具体的には、複数の座標情報ＣＩの送信間隔においてノズル３０の移動可能な最大の距離である。
【００８８】
図６（ｂ）に表したように、制御部１１０は、補間処理により、補間座標情報ＶＩを取得する。制御部１１０は、例えば、終点と始点との離間量と、ノズル３０の移動可能な距離と、に基づいて、補間座標情報ＶＩを設定する。制御部１１０は、例えば、終点と始点との離間量をノズル３０の移動可能な距離で割ることにより、必要な補間座標情報ＶＩの数を求める。そして、制御部１１０は、例えば、終点と始点とを結ぶ直線状に必要な数の補間座標情報ＶＩを均等に配置することにより、補間座標情報ＶＩを設定する。例えば、複数の座標情報ＣＩの軌跡に基づく曲線近似演算などにより、より適切な位置に補間座標情報ＶＩを設定できるようにしてもよい。図６（ｂ）では、終点と始点との間に２つの補間座標情報ＶＩを設定した例を示している。補間座標情報ＶＩの数は、上記のように、終点と始点との離間量に応じて設定され、離間量に応じて１つあるいは複数設けられる。
【００８９】
制御部１１０は、補間処理によって補間座標情報ＶＩを取得した後、取得した補間座標情報ＶＩを、終点と始点との間において無線通信部１１４から便座装置２０に送信する。制御部１１０は、複数の座標情報ＣＩの終点の座標情報ＣＩを送信した後、補間座標情報ＶＩを送信し、次の複数の座標情報ＣＩの始点の座標情報ＣＩを送信する。これにより、複数の座標情報ＣＩを便座装置２０に再送信する際に、終点と始点とが一致していない場合でも、終点と始点との間において洗浄水の移動が追従できなくなってしまうことを抑制することができる。換言すれば、複数の座標情報ＣＩの送信のタイミングと、実際の洗浄水の動きと、の間に、ズレが生じてしまうことを抑制することができる。
【００９０】
図７は、実施形態に係るトイレシステムの動作の一例を模式的に表すフローチャートである。  
図８（ａ）〜図８（ｆ）は、表示画面の一例を模式的に表す説明図である。  
トイレシステム２において、携帯情報端末１００で便座装置２０を遠隔操作する場合には、まず、携帯情報端末１００の操作部１１６を操作し、便座装置遠隔操作プログラム２００を起動させる（図７のステップＳ１０１）。便座装置遠隔操作プログラム２００を起動させると、携帯情報端末１００の制御部１１０は、便座装置遠隔操作プログラム２００に基づく処理を開始する。
【００９１】
制御部１１０は、処理を開始すると、例えば図８（ａ）に表したように、初期操作画面３１０を表示部１１８に表示する。初期操作画面３１０には、例えば、通信接続可能な便座装置２０の検索を指示するための接続先検索ボタン３１０ａが設けられる。使用者は、携帯情報端末１００で便座装置２０を遠隔操作する場合には、便座装置遠隔操作プログラム２００を起動させて初期操作画面３１０を表示部１１８に表示させた後、操作部１１６を操作して接続先検索ボタン３１０ａを操作し、通信接続可能な便座装置２０の検索を制御部１１０に指示する。
【００９２】
制御部１１０は、通信接続可能な便座装置２０の検索を指示されると、無線通信部１１４の通信結果に基づいて、無線通信部１１４の通信圏内に通信接続可能な便座装置２０が存在するか否かを判定する。通信接続可能な便座装置２０とは、例えば、無線通信部１１４の通信圏内が、便座装置２０の第２無線通信部６２の通信圏内と重なり、かつペアリング済みの便座装置２０である。
【００９３】
制御部１１０は、通信接続可能な便座装置２０が存在しないと判定した場合、例えば、接続先の便座装置２０がないことを表す表示画面を表示部１１８に表示する。この場合、制御部１１０は、例えば、定期的に又は使用者からの指示に応じて通信接続可能な便座装置２０の再検出を行う。
【００９４】
制御部１１０は、通信圏内に通信接続可能な便座装置２０が存在すると判定した場合、該当する便座装置２０を接続対象として検出し、接続対象の便座装置２０との通信接続を開始する。これにより、携帯情報端末１００と便座装置２０とが、互いに通信接続された接続状態となる（図７のステップＳ１０２）。携帯情報端末１００の制御部１１０は、便座装置２０との通信接続を完了すると、例えば、図８（ｂ）に表したように、通信接続された便座装置２０の情報を表示部１１８に表示する。
【００９５】
携帯情報端末１００の制御部１１０は、通信接続された便座装置２０の情報を表示部１１８に表示した後、使用者からの操作指示の入力を待機する。また、便座装置２０の制御部４０は、携帯情報端末１００からの操作指示の入力を待機する（図７のステップＳ１０３）。
【００９６】
携帯情報端末１００の制御部１１０は、待機状態において、例えば、図８（ｃ）に表したように、便座装置２０を操作するための操作画面３１２を表示部１１８に表示する。操作画面３１２には、例えば、おしり洗浄の実行を指示するためのおしり洗浄ボタン３１２ａ、おしりソフト洗浄の実行を指示するためのおしりソフト洗浄ボタン３１２ｂ、ビデ洗浄の実行を指示するためのビデ洗浄ボタン３１２ｃ、ワイドビデ洗浄の実行を指示するためのワイドビデ洗浄ボタン３１２ｄ、温水温度や便座温度などを設定するための設定ボタン３１２ｅ、及び便座装置２０との通信接続を切断するための切断ボタン３１２ｆなどの、各種のボタンが設けられる。使用者は、操作部１１６を介して各種のボタン３１２ａ〜３１２ｆを操作することにより、所望の操作指示を制御部１１０に入力する。
【００９７】
制御部１１０は、操作部１１６から操作指示が入力されると、入力された操作指示が、通信接続の切断の操作指示か、設定変更の操作指示か、あるいは局部洗浄の操作指示かを判定する（図７のステップＳ１０４〜Ｓ１０６）。
【００９８】
制御部１１０は、通信接続の切断の操作指示であると判定した場合、便座装置２０との通信接続を切断する処理を実行する。これにより、携帯情報端末１００の制御部１１０及び便座装置２０の制御部４０は、互いに通信接続を切断する（図７のステップＳ１０７）。
【００９９】
このように、便座装置２０の制御部４０は、携帯情報端末１００から通信接続の切断を指示する信号を受信した場合、携帯情報端末１００からの指示に応答して携帯情報端末１００との通信接続を切断する。また、制御部４０は、第２無線通信部６２の通信範囲から携帯情報端末１００が出た場合にも、携帯情報端末１００との通信接続を切断する。
【０１００】
携帯情報端末１００の制御部１１０は、便座装置２０との通信接続の切断を完了すると、例えば、図８（ｄ）に表したように、便座装置２０との通信接続の切断の完了を表示部１１８に表示する。この後、制御部１１０は、便座装置遠隔操作プログラム２００を停止させ、便座装置遠隔操作プログラム２００に基づく処理を終了する。
【０１０１】
制御部１１０は、設定変更の操作指示であると判定した場合、例えば、温水温度や便座温度などの設定を変更するための設定変更画面を表示部１１８に表示させる。そして、制御部１１０は、操作部１１６の操作に応じて、設定変更に関する設定変更信号を無線通信部１１４から便座装置２０に送信することにより、便座装置２０に各種の設定を変更させる（図７のステップＳ１０８）。制御部１１０は、例えば、操作部１１６からの設定変更の終了の指示に応じてステップＳ１０３の処理に戻り、再び使用者からの操作指示の入力を待機する。
【０１０２】
制御部１１０は、局部洗浄に関する操作指示であると判定した場合、無線通信部１１４から便座装置２０に信号を送信し、局部洗浄の実行を便座装置２０に指示する（図７のステップＳ１０９）。すなわち、制御部１１０は、おしり洗浄ボタン３１２ａ、おしりソフト洗浄ボタン３１２ｂ、ビデ洗浄ボタン３１２ｃ、及びワイドビデ洗浄ボタン３１２ｄのいずれかが操作された場合に、おしり洗浄、おしりソフト洗浄、ビデ洗浄、及びワイドビデ洗浄のいずれかの実行を便座装置２０に指示する。
【０１０３】
また、制御部１１０は、局部洗浄に関する操作指示であると判定した場合、例えば、図８（ｅ）に表したように、待機時の操作画面３１２から局部洗浄の動作を操作するための操作画面３１４に、表示部１１８の表示を切り替える。
【０１０４】
操作画面３１４には、例えば、局部洗浄の停止を指示するための停止ボタン３１４ａ、洗浄水の吐水位置を前方に移動させるための位置前ボタン３１４ｂ、洗浄水の吐水位置を後方に移動させるための位置後ボタン３１４ｃ、洗浄水の吐水の勢いを弱くするための水勢弱ボタン３１４ｄ、洗浄水の吐水の勢いを強くするための水勢強ボタン３１４ｅ、及び洗浄水の位置を自在に変化させながら局部洗浄を行う自在洗浄の実行を指示するための自在洗浄ボタン３１４ｆなどが設けられる。
【０１０５】
制御部１１０は、停止ボタン３１４ａが操作された場合、ノズル３０からの洗浄水の吐水を停止させる停止信号を無線通信部１１４から便座装置２０に送信し、便座装置２０にノズル３０からの洗浄水の吐水を停止させる（図７のステップＳ１１０、Ｓ１１１）。この後、制御部１１０は、ステップＳ１０３の処理に戻り、再び使用者からの操作指示の入力を待機する。
【０１０６】
制御部１１０は、位置前ボタン３１４ｂ、位置後ボタン３１４ｃ、水勢弱ボタン３１４ｄ、及び水勢強ボタン３１４ｅのいずれかが操作された場合、対応する設定変更信号を無線通信部１１４から便座装置２０に送信することにより、便座装置２０に洗浄水の位置又は洗浄水の勢いの設定を変更させる（図７のステップＳ１１２、Ｓ１１３）。制御部１１０は、対応する設定変更信号の送信を行った後、ステップＳ１１０の処理に戻り、洗浄時の操作画面３１４に関する処理を繰り返す。
【０１０７】
制御部１１０は、自在洗浄ボタン３１４ｆが操作された場合、図８（ｆ）に表したように、図４（ａ）に関して説明した操作画面３００を自在洗浄の動作を操作するための操作画面として表示部１１８に表示する（図７のステップＳ１１４、Ｓ１１５）。
【０１０８】
制御部１１０は、操作画面３００を表示すると、記憶部１１２に複数の座標情報ＣＩが記憶されているか否かを判定する（図７のステップＳ１１６）。制御部１１０は、複数の座標情報ＣＩが記憶部１１２に記憶されていると判定した場合、マイ洗浄ボタン３００ｅの操作を有効にする（図７のステップＳ１１７）。一方、制御部１１０は、複数の座標情報ＣＩが記憶部１１２に記憶されていないと判定した場合、マイ洗浄ボタン３００ｅの操作を無効にする（図７のステップＳ１１８）。
【０１０９】
制御部１１０は、マイ洗浄ボタン３００ｅの有効又は無効の設定を判定した後、続いて、位置調整画面３００ｂのタッチ操作による複数の座標情報ＣＩの入力が開始されたか否かを判定する（図７のステップＳ１１９）。制御部１１０は、複数の座標情報ＣＩの入力が開始されたと判定すると、マイ洗浄ボタン３００ｅの操作を無効にする（図７のステップＳ１２０）。また、制御部１１０は、例えば、記憶部１１２に複数の座標情報ＣＩが既に記憶されている場合には、複数の座標情報ＣＩの入力に応答して、記憶部１１２に記憶されている複数の座標情報ＣＩを消去する（図７のステップＳ１２１）。但し、前述のように、複数の座標情報ＣＩは、記憶部１１２に複数記憶できるようにしてもよい。
【０１１０】
制御部１１０は、マイ洗浄ボタン３００ｅの無効化や既存の座標情報ＣＩの消去などを行った後、位置調整画面３００ｂのタッチ操作に基づいて、座標情報ＣＩの取得を開始する（図７のステップＳ１２２）。
【０１１１】
制御部１１０は、座標情報ＣＩを取得すると、取得した座標情報ＣＩを便座装置２０に送信する（図７のステップＳ１２３）。便座装置２０の制御部４０は、座標情報ＣＩを受信すると、受信した座標情報ＣＩに基づいてノズル駆動装置７５を動作させることにより、座標情報ＣＩに応じた位置に洗浄水を移動させる。
【０１１２】
また、制御部１１０は、座標情報ＣＩを取得すると、取得した座標情報ＣＩを位置調整画面３００ｂに表示する。制御部１１０は、例えば、座標情報ＣＩを取得する毎に、取得した座標情報ＣＩを位置調整画面３００ｂに表示するとともに、隣接する２つの座標情報ＣＩ同士を接続する線分を位置調整画面３００ｂに表示する（図６参照）。これにより、制御部１１０は、入力された複数の座標情報ＣＩの軌跡を位置調整画面３００ｂに表示する。
【０１１３】
制御部１１０は、座標情報ＣＩの入力（位置調整画面３００ｂのタッチ操作）が継続されている間は、所定の周期で座標情報ＣＩを取得するとともに、所定の周期で取得した座標情報ＣＩを便座装置２０に順次送信する（図７のステップＳ１２４、Ｓ１２５）。これにより、使用者による位置調整画面３００ｂのタッチ操作に連動させて、洗浄水の位置を連続的に移動させることができる。
【０１１４】
一方、制御部１１０は、座標情報ＣＩの入力が終了したと判定すると、位置調整画面３００ｂのタッチ操作によって連続的に入力された一連の複数の座標情報ＣＩを記憶部１１２に記憶する（図７のステップＳ１２６）。この後、制御部１１０は、ステップＳ１１７の処理に移行し、マイ洗浄ボタン３００ｅの操作を有効にする。この際、使用者の好みの位置で位置調整画面３００ｂのタッチ操作を終了することにより、使用者の好みの位置で洗浄水を吐水させ続けることができる。
【０１１５】
制御部１１０は、操作画面３００を表示部１１８に表示させた後、マイ洗浄ボタン３００ｅが操作されたと判定すると、マイ洗浄ボタン３００ｅの操作を一時的に無効にした後、複数の座標情報ＣＩの軌跡の終点と始点とが一致しているか否かを判定する（図７のステップＳ１２８、Ｓ１２９）。
【０１１６】
制御部１１０は、一致していると判定した場合には、記憶部１１２に記憶された複数の座標情報ＣＩを記憶部１１２から読み出し、読み出した複数の座標情報ＣＩを時系列順に便座装置２０に順次再送信する（図７のステップＳ１３０）。
【０１１７】
一方、制御部１１０は、終点と始点とが一致していないと判定した場合、終点と始点との間を補間する補間処理を行って補間座標情報ＶＩを取得し、取得した補間座標情報ＶＩを無線通信部１１４から便座装置２０に送信する（図７のステップＳ１３１）。そして、制御部１１０は、補間座標情報ＶＩを送信した後、複数の座標情報ＣＩの再送信を行う。
【０１１８】
制御部１１０は、複数の座標情報ＣＩの再送信を行っている途中で、位置調整画面３００ｂのタッチ操作による複数の座標情報ＣＩの入力が開始された場合、ステップＳ１２１の処理に移行し、記憶部１１２に記憶されている複数の座標情報ＣＩの消去を行う（図７のステップＳ１３２）。
【０１１９】
また、制御部１１０は、複数の座標情報ＣＩの再送信を行っている途中で、停止ボタン３００ａが操作された場合、ノズル３０からの洗浄水の吐水を停止させる停止信号を無線通信部１１４から便座装置２０に送信し、便座装置２０にノズル３０からの洗浄水の吐水を停止させる（図７のステップＳ１３３、Ｓ１３４）。制御部１１０は、洗浄水の吐水を停止させた場合、ステップＳ１０３の処理に戻り、再び使用者からの操作指示の入力を待機する。
【０１２０】
制御部１１０は、複数の座標情報ＣＩの再送信が終了したと判定すると、ステップＳ１１７の処理に移行し、一時的に無効としたマイ洗浄ボタン３００ｅの操作を再び有効にする（図７のステップＳ１３５）。複数の座標情報ＣＩの再送信は、使用者の好みの動きで洗浄水を移動させる（例えば円を描くように移動させるなど）用途で用いてもよいし、使用者の好みの位置に洗浄水を移動させる用途で用いてもよい。
【０１２１】
制御部１１０は、操作画面３００を表示部１１８に表示させた後、停止ボタン３００ａが操作された場合、停止信号を便座装置２０に送信してノズル３０からの洗浄水の吐水を停止させる（図７のステップＳ１３６）。そして、制御部１１０は、ステップＳ１０３の処理に戻り、再び使用者からの操作指示の入力を待機する。
【０１２２】
このように、便座装置遠隔操作プログラム２００は、洗浄水の位置を調整するための位置調整画面３００ｂを表示部１１８に表示する表示工程（例えば、図７のステップＳ１１４、Ｓ１１５）を有する。
【０１２３】
また、便座装置遠隔操作プログラム２００は、操作部１１６の操作により、洗浄水の位置を表す複数の座標情報ＣＩを入力可能とし、入力された複数の座標情報ＣＩの軌跡を位置調整画面３００ｂに表示するとともに、無線通信部１１４を介して複数の座標情報ＣＩを便座装置２０に送信することにより、位置調整画面３００ｂに表示された複数の座標情報ＣＩの軌跡に連動させて洗浄水の位置を連続的に移動させる位置調整工程（例えば、図７のステップＳ１１９〜Ｓ１２６）を有する。
【０１２４】
便座装置遠隔操作プログラム２００は、少なくとも表示工程と位置調整工程とを携帯情報端末１００に実行させる。
【０１２５】
便座装置遠隔操作プログラム２００は、操作部１１６の操作に応じてノズル３０からの洗浄水の吐水を停止させる停止信号を無線通信部１１４から便座装置２０に複数回送信する停止工程（例えば、図７のステップＳ１１１、Ｓ１３４）を、さらに含んでもよい。
【０１２６】
便座装置遠隔操作プログラム２００は、複数の座標情報ＣＩを記憶部１１２に記憶し、記憶した複数の座標情報ＣＩを無線通信部１１４から便座装置２０に再送信する再送信工程（例えば、図７のステップＳ１２７〜Ｓ１３５）を、さらに含んでもよい。
【０１２７】
再送信工程は、複数の座標情報ＣＩを便座装置２０に再送信するか否かを選択させるための選択画面（例えばマイ洗浄ボタン３００ｅ）を表示部１１８に表示する工程（例えば、図７のステップＳ１１５〜Ｓ１１８）を含んでもよい。
【０１２８】
また、再送信工程は、複数の座標情報ＣＩの軌跡の終点と始点とが一致していない場合に、終点と始点との間を補間する補間処理を行い、補間処理によって取得した補間座標情報ＶＩを、終点と始点との間において無線通信部１１４から便座装置２０に送信する工程（例えば、図７のステップＳ１２９〜Ｓ１３１）を含んでもよい。
【０１２９】
以上、説明したように、本実施形態に係る便座装置遠隔操作プログラム２００では、操作部１１６の操作により、洗浄水の位置を表す複数の座標情報ＣＩを入力可能とし、入力された複数の座標情報ＣＩの軌跡を位置調整画面３００ｂに表示するとともに、無線通信部１１４を介して複数の座標情報ＣＩを便座装置２０に送信することにより、位置調整画面３００ｂに表示された複数の座標情報ＣＩの軌跡に連動させて洗浄水の位置を連続的に移動させる。これにより、簡単な操作で使用者の好みの軌跡で洗浄水を移動させることができる。また、洗浄水の位置を連続的に移動させることにより、使用者の好みの位置に洗浄水を配置し易くすることもできる。これにより、高い利便性の便座装置遠隔操作プログラム２００を提供することができる。
【０１３０】
また、便座装置遠隔操作プログラム２００では、１つの座標情報ＣＩの送信回数が、停止信号の送信回数よりも少ないため、次の座標情報ＣＩを早期に送信することができ、操作に対する洗浄水の移動の応答性を高めることができる。一方、高い送信精度が要求される停止信号は、送信回数が多いため、より確実に停止信号を便座装置２０に受信させることができる。
【０１３１】
また、便座装置遠隔操作プログラム２００では、１つの座標情報ＣＩの送信間隔が、停止信号の送信間隔よりも短いため、次の座標情報ＣＩを早期に送信することができ、操作に対する洗浄水の移動の応答性を高めることができる。一方、高い送信精度が要求される停止信号は、送信間隔が長いため、携帯情報端末１００と便座装置２０との位置関係が悪く、停止信号を受信できなかった場合でも、次の停止信号の送信までに位置関係が改善される可能性を高めることができる。これにより、より確実に停止信号を便座装置２０に受信させることができる。
【０１３２】
また、便座装置遠隔操作プログラム２００では、複数の座標情報ＣＩを記憶部１１２に記憶し、記憶した複数の座標情報ＣＩを無線通信部１１４から便座装置２０に再送信することができる。これにより、好みの軌跡を設定した後は、操作せずにその軌跡を継続させることができ、操作の手間を省き、より利便性を向上させることができる。
【０１３３】
また、便座装置遠隔操作プログラム２００では、複数の座標情報ＣＩを便座装置２０に再送信するか否かを選択させるための選択画面（マイ洗浄ボタン３００ｅ）を表示部１１８に表示することにより、好みの軌跡で洗浄水を移動させ続けるか否かを使用者に選択させることができ、より利便性を向上させることができる。
【０１３４】
第６の発明は、第４又は第５の発明において、前記再送信工程は、前記複数の座標情報の軌跡の終点と始点とが一致していない場合に、前記終点と前記始点との間を補間する補間処理を行い、前記補間処理によって取得した補間座標情報を、前記終点と前記始点との間において前記無線通信部から前記便座装置に送信することを含むことを特徴とする便座装置遠隔操作プログラムである。
【０１３５】
また、便座装置遠隔操作プログラム２００では、複数の座標情報ＣＩの軌跡の終点と始点とが一致していない場合に、終点と始点との間を補間する補間処理を行い、補間処理によって取得した補間座標情報ＶＩを、終点と始点との間において無線通信部１１４から便座装置２０に送信する。これにより、使用者が操作する際に始点と終点とを揃える操作をしなくても良いため、操作の制約を軽減することができる。これにより、より利便性を向上させることができる。
【０１３６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレシステム２、携帯情報端末１００、便座装置遠隔操作プログラム２００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３７】
２ トイレシステム、  １０ トイレ装置、  １２ 便器、  １２ａ ボウル部、  ２０ 便座装置、  ２２ 本体部、  ２４ 便座、  ２４ａ 開口部、  ２６ 便蓋、  ２８ リモコン、  ３０ ノズル、  ４０ 制御部、  ４２ 記憶部、  ５１ 第１人体検知センサ、  ５２ 第２人体検知センサ、  ５３ 着座検知センサ、  ６１ 第１無線通信部、  ６２ 第２無線通信部、  ７０ 便蓋開閉装置、  ７１ 便座開閉装置、  ７２ 便座ヒータ、  ７３ 電磁弁、  ７４ 温水ヒータ、  ７５ ノズル駆動装置、  ７６ 脱臭装置、  ７７ 室内暖房装置、  ７８ 照明装置、  ７９ 便器洗浄装置、  ８０ 温風送風機、  １００ 携帯情報端末、  １１０ 制御部、  １１２ 記憶部、  １１４ 無線通信部、  １１６ 操作部、  １１８ 表示部、  １２０ スピーカ、  １２２ マイクロフォン、  ２００ 便座装置遠隔操作プログラム、  ３００ 操作画面、  ３００ａ 停止ボタン、  ３００ｂ 位置調整画面、  ３００ｃ 水勢弱ボタン、  ３００ｄ 水勢強ボタン、  ３００ｅ マイ洗浄ボタン（選択画面）、  ３１０ 初期操作画面、  ３１２、３１４ 操作画面、  ＣＩ 座標情報、  ＶＩ 補間座標情報
【図１】
2020053758.tif 000003
【図２】
2020053758.tif 000004
【図３】
2020053758.tif 000005
【図４】
2020053758.tif 000006
【図５】
2020053758.tif 000007
【図６】
2020053758.tif 000008
【図７】
2020053758.tif 000009
【図８】
2020053758.tif 000010